(57)【要約】【課題】意匠性の高い上に現場における施工性も高い太陽光利用屋根を提供すること。【解決手段】切妻式の太陽光利用屋根１であって、一方の屋根面１Ａ側の下地材３に固定される太陽光パネル架台４と、太陽光パネル架台４上に固定され、棟部７から軒先に亘って配置される太陽光発電パネル５と、太陽光発電パネル５の端部が配置された棟部７を覆う棟包み７１と、を備え、棟包み７１は、一方の屋根面１Ａ側に配置される第１棟包み部７１１と、他方の屋根面１Ｂ側に配置され且つその上面が第１棟包み部７１１の上面と棟部７の棟芯７ａに対して対称に配置される第２棟包み部７１２と、を有する太陽光利用屋根１である。【選択図】図５
2016011507.tif 000002
【特許請求の範囲】
【請求項１】
切妻式の太陽光利用屋根であって、
一方の屋根面側の下地材に固定される架台と、
前記架台上に固定され、棟部から軒先に亘って配置される太陽光パネルと、
前記太陽光パネルの端部が配置された前記棟部を覆う棟包みと、を備え、
前記棟包みは、一方の屋根面側に配置される第１棟包み部と、他方の屋根面側に配置され且つその上面が前記第１棟包み部の上面と前記棟部の棟芯に対して対称に配置される第２棟包み部と、を有する太陽光利用屋根。
【請求項２】
前記架台に固定され且つ前記第１棟包み部を支持する第１棟取付材と、
前記他方の屋根面側の下地材に固定され且つ前記第２棟包み部を支持する第２棟取付材と、を更に備える請求項１記載の太陽光利用屋根。
【発明の詳細な説明】
【技術分野】
【０００１】
本発明は、太陽光利用屋根に関する。より詳しくは、本発明は、切り妻式の太陽光利用屋根に関する。
【背景技術】
【０００２】
従来、建物の屋根と太陽光パネルとが一体に形成された、棟から両側に傾斜する屋根面を有する切り妻式の太陽光利用屋根が知られている。切り妻式の太陽光利用屋根においては、一般的に、日当たりの良い屋根面側に太陽光パネルが配置される（例えば、特許文献１参照）。
【０００３】
このような太陽光利用屋根では、棟部を挟んで、太陽光パネルの配置された側と、その逆側とで、屋根の設置される下地材と屋根面との距離が異なることから、棟部の形状を調整が難しい。
【先行技術文献】
【特許文献】
【０００４】
【特許文献１】特許第３９９５０７８号公報
【発明の概要】
【発明が解決しようとする課題】
【０００５】
特許文献１で開示された技術では、棟部の中心を、屋根の下地の棟の中心とずらすことで、屋根の棟部の形状を調整している。しかしながら、このような方法では、屋根の棟部の断面形状が、屋根の下地の棟を通る鉛直軸を中心にして対称ではないことから、屋根の断面形状がいびつになってしまい、意匠性が低くなる。
【０００６】
屋根の意匠性を維持するために、施工者が現場において、太陽光パネルの配置された側と、その逆側とで、屋根の設置される下地材と屋根面との距離が同じになるように、適宜調整することも考えられる。しかし、その場合、現場において部材を調達して屋根面の高さを調整する必要があり、施工性が低くなる。
【０００７】
本発明は、上記課題に鑑みてなされたものであり、意匠性の高い上に現場における施工性も高い太陽光利用屋根を提供することを目的とする。
【課題を解決するための手段】
【０００８】
上記目的を達成するため本発明は、切妻式の太陽光利用屋根（例えば、後述の太陽光利用屋根１）であって、一方の屋根面（例えば、後述の屋根面１Ａ）側の下地材（例えば、後述の下地材３）に固定される架台（例えば、後述の太陽光パネル架台４）と、前記架台上に固定され、棟部（例えば、後述の棟部７）から軒先に亘って配置される太陽光パネル（例えば、後述の太陽光発電パネル５）と、前記太陽光パネルの端部が配置された前記棟部を覆う棟包み（例えば、後述の棟包み７１）と、を備え、前記棟包みは、一方の屋根面側に配置される第１棟包み部（例えば、後述の第１棟包み部７１１）と、他方の屋根面側に配置され且つその上面が前記第１棟包み部の上面と前記棟部の棟芯に対して対称に配置される第２棟包み部（例えば、後述の第２棟包み部７１２）と、を有する太陽光利用屋根を提供する。
【０００９】
また、前記架台に固定され且つ前記第１棟包み部を支持する第１棟取付材（例えば、後述のパネル側棟根取り付け材７２）と、前記他方の屋根面側の下地材に固定され且つ前記第２棟包み部を支持する第２棟取付材（例えば、後述の屋根材側棟根取り付け材７３）と、を更に備えることが好ましい。
【発明の効果】
【００１０】
本発明によれば、意匠性の高い上に現場における施工性も高い太陽光利用屋根を提供することができる。
【図面の簡単な説明】
【００１１】
【図１】本発明の一実施形態に係る太陽光利用屋根を示す斜視図である。
【図２】本実施形態に係る太陽光利用屋根の下地材上に配置される太陽光パネル架台、太陽光発電パネル及び化粧材を裏側から見た図である。
【図３】図１のＡ−Ａ線断面図である。
【図４】図１のＢ−Ｂ線断面図である。
【図５】本実施形態に係る太陽光利用屋根をケラバ方向に切断した断面図である。
【発明を実施するための形態】
【００１２】
以下、本発明の一実施形態について、図面を参照しながら詳細に説明する。
図１は、本発明の一実施形態に係る太陽光利用屋根を示す斜視図である。図１に示すように、太陽光利用屋根１は、建物２の屋根と太陽光発電パネルとが一体形成された太陽光利用屋根であり、統一感のある高い意匠性を有する。太陽光利用屋根１は、屋根面１Ａ，１Ｂと、棟部７と、により構成される。棟部７は、屋根面１Ａ及び屋根面１Ｂの傾斜方向における上端部であり、屋根面１Ａの上端部と屋根面１Ｂの上端部の間が棟部７の中心である棟芯７ａを構成する。棟部７については後に詳述する。
【００１３】
屋根面１Ａ，１Ｂは、それぞれ下方に向かって傾斜するとともに上端部側で向き合うように配置され、切妻屋根を構成している。屋根面１Ａは、日当たりの良い側に配置され、略全面が太陽光発電パネル５と一体形成されている。屋根面１Ｂは、日当たりの悪い側に配置され、スレートや瓦等の屋根材９で形成されている。
【００１４】
以下、太陽光利用屋根１のうち、日当たりの良い側の屋根面１Ａの構成について、図１〜４を参照して詳しく説明する。
ここで、図２は、太陽光利用屋根１の屋根面１Ａの下地材上に配置される太陽光パネル架台４、太陽光発電パネル５及び化粧材６を裏側から見た図である。図３は、図１のＡ−Ａ線断面図であり、図４は、図１のＢ−Ｂ線断面図である。なお図３では、両ケラバ側の構成は同一であるため一方側（図１の左側）のみを示し、他方側と中央部分を一部省略して示している。また図４では、軒側のみを示し、棟側と中央部分を一部省略して示している。
【００１５】
太陽光利用屋根１は、図１〜４に示すように、屋根面１Ａ側に、下地材３と、太陽光パネル架台４と、太陽光発電パネル５と、化粧材６と、を備える。
【００１６】
下地材３は、図３及び４に示すように、野地板３１と、防水シート３２と、鋼板３３と、を備える。下地材３は、太陽光利用屋根１の土台部分を構成し、後述する太陽光パネル架台４を固定支持する。
【００１７】
野地板３１は、建物２の屋根の骨組みである垂木３０の上に張られて配置される。この野地板３１は、太陽光利用屋根１の全面に配置される。野地板３１としては、合板等の板材が用いられる。
【００１８】
防水シート３２は、上述の野地板３１上に配置される。この防水シート３２により、太陽光利用屋根１の防水性が高められる。防水シート３２としては、板紙にアスファルトを含浸させたアスファルトルーフィング等の防水材料が用いられる。
【００１９】
鋼板３３は、上述の防水シート３２上に配置される。この鋼板３３により、太陽光利用屋根１の防火性、防水性及び強度が高められる。鋼板３３としては、従来公知の防火鋼板等が用いられる。
【００２０】
太陽光パネル架台４は、図２〜４に示すように、上述の下地材３上にビス止めされて固
定される。また、太陽光パネル架台４は、上述の太陽光発電パネル５を固定支持する。
太陽光パネル架台４は、格子状に枠組みされた複数の縦桟４１と、複数の横桟４２と、を備える。
【００２１】
縦桟４１は、屋根面１Ａの傾斜方向に延びて、棟部７から軒先に亘って通しで設けられる。縦桟４１は、屋根面１Ａの傾斜方向に沿うようにして一定間隔で複数配置されて下地材３にビス止めされる。また、縦桟４１は、後述の隣接する太陽光発電パネル５の縦辺部の連結部である継ぎ目５１の直下に配置される。
【００２２】
横桟４２は、屋根面１Ａの傾斜方向に直交する方向に延びて設けられ、縦桟４１上にビス止めされる。横桟４２は、後述の隣接する太陽光発電パネル５の横辺部の連結部である横連結部５２の直下に配置される。また、横桟４２は、隣接する縦桟４１同士を、あるいはケラバ側端部では後述のケラバ側枠材６３と縦桟４１との間を、橋渡しするように複数設けられる。即ち、横桟４２は、両ケラバ側端部間に亘って通しで設けられてはいない。
【００２３】
なお、太陽光パネル架台４を構成する縦桟４１と横桟４２は、それぞれ種々の排水構造を備える。
【００２４】
太陽光発電パネル５は、図１及び２に示すように、太陽光利用屋根１の屋根面１Ａの傾斜方向に４枚、該傾斜方向と直交する方向に４枚の計１６枚が並設され、上述の太陽光パネル架台４により固定支持される。
太陽光発電パネル５の周縁部のうち、屋根面１Ａの傾斜方向に沿う縦辺部は、隣接する太陽光発電パネル５の縦辺部との間に、縦方向に延びる継ぎ目５１を形成する。
また、太陽光発電パネル５の周縁部のうち、屋根面１Ａの傾斜方向に直交する方向に沿う横辺部は、上述の太陽光パネル架台４を構成する横桟４２を間に挟んで、隣接する太陽光発電パネル５の横辺部に連結されることで、横連結部５２を形成する。
【００２５】
横連結部５２は、上述したように、太陽光パネル架台４を構成する横桟４２の直上に配置される。また、横連結部５２には、隣接する太陽光発電パネル５の横辺部により挟持される横桟４２の上部に、両横辺部に沿って延びるパネル押え部材５２１が取り付けられる。
【００２６】
化粧材６は、図１及び２に示すように、軒側枠材６１と、一対のケラバ側枠材６３，６３と、を備える。これら軒側枠材６１、及び一対のケラバ側枠材６３，６３は、後述するパネル側棟根取り付け材７２とともに、太陽光発電パネル５の周囲を囲繞する周囲枠を構成する。
【００２７】
軒側枠材６１は、太陽光利用屋根１の軒先に配置されている。軒側枠材６１は、太陽光利用屋根１の屋根面１Ａの傾斜方向に直交する方向に延びてその軒先を覆うことで、軒先を保護する。これにより、軒先の意匠性が高められている。
軒側枠材６１は、図４に示すように、軒カバー６１１と、軒端部カバー６１２と、を備える。
【００２８】
軒カバー６１１は、軒先に沿って延設され、上述の太陽光パネル架台４を構成する横桟４２にビス止めされる。また、軒カバー６１１は、断面視で、屋根面の傾斜方向に沿って延びた後、軒先に向かうに従い下方に傾斜して設けられる。
軒端部カバー６１２は、軒先の妻側の端部に設けられる。軒端部カバー６１２は、軒カバー６１１の外形に沿って軒カバー６１１を覆うように設けられ、軒カバー６１１にビス止めされる。
【００２９】
一対のケラバ側枠材６３，６３は、太陽光利用屋根１のケラバ側の端部に配置される。一対のケラバ側枠材６３，６３は、太陽光利用屋根１の屋根面１Ａの傾斜方向に延びて妻側の端部をそれぞれ覆うことで、妻側の端部を保護する。これにより、妻側の端部の意匠性が高められている。
【００３０】
また、太陽光利用屋根１は、図３及び４に示すように、ケラバ側破風板６４と、軒側破風板６５と、軒樋６６と、を備える。なお図１では、これらケラバ側破風板６４、軒側破風板６５及び軒樋６６の記載は省略している。
ケラバ側破風板６４は、破風下地６４１を介してケラバ側の端部から垂下して設けられる。軒側破風板６５は、破風下地６５１を介して軒先から垂下して設けられる。軒樋６６は、軒側破風板６５の外面に取り付けられ、上述の太陽光パネル架台４の縦桟４１等により軒先から排出される雨水を排水する。
【００３１】
次に、図５を参照して、棟部７について説明する。棟部７は、太陽光利用屋根１の頂部に配置され、軒先の延びる方向と平行して延びている。棟部７は、棟包み７１と及び水切り材８に覆われている。棟部７には、太陽光利用屋根１の屋根面１Ａの略全面に太陽光発電パネル５が配置されていることから、太陽光発電パネル５の端部が配置されている。
【００３２】
棟包み７１は、屋根面１Ａ及び屋根面１Ｂの上端部を覆うとともに、屋根面１Ａ，１Ｂが向かい合うケラバ側の端部を覆っている（図１参照）。棟包み７１は、第１棟包み部７１１と、第２棟包み部７１２と、第１棟取付材としてのパネル側棟根取り付け材７２と、第２棟取付材としての屋根材側棟根取り付け材７３と、を有する。棟包み７１は、例えばアルミ材や鋼板等で構成されている。
【００３３】
第１棟包み部７１１は、太陽光発電パネル５と一体形成された屋根面１Ａ側に配置され、上面が屋根面１Ａに平行に延びている。
第２棟包み部７１２は、屋根材９が設けられた屋根面１Ｂ側に配置され、上面が屋根面１Ｂに平行に延びている。
図５に示すように、第１棟包み部７１１及び第２棟包み部７１２は、その上面が棟芯７ａを中心として、屋根面１Ａ側及び屋根面１Ｂ側両方向に均等な長さで延びている。第１棟包み部７１１及び第２棟包み部７１２は、棟芯７ａ側で連続している。第１棟包み部７１１及び第２棟包み部７１２は、屋根面１Ａと、屋根面１Ｂとを、棟芯７ａから同じ傾斜角度でそれぞれ覆うものである。
【００３４】
以下に、まず屋根面１Ａ側の構成について説明する。
パネル側棟根取り付け材７２は、太陽光利用屋根１の棟部７の延びる方向に沿う縦長の部材である。パネル側棟根取り付け材７２は、太陽光パネル架台４に固定されて第１棟包み部７１１を支持する。パネル側棟根取り付け材７２は、パネル設置面７２１と、棟包み取り付け面７２２と、これらパネル設置面７２１及び棟包み取り付け面７２２を接続する接続部７２３と、を有する。
【００３５】
パネル設置面７２１は、断面視でパネル側棟根取り付け材７２の下面を構成する面である。図６に示すように、パネル設置面７２１は、太陽光パネル架台４の縦桟４１に直接接している。
【００３６】
棟包み取り付け面７２２は、パネル設置面７２１の上方に、パネル設置面７２１と略平行に延びる面である。棟包み取り付け面７２２は、パネル設置面７２１の幅よりも長い幅を有し、断面視でパネル設置面７２１よりもやや上側に長く延びている。
棟包み取り付け面７２２は、棟包み７１に、取り付け用部材７２４を介して接続されている。詳細には、取り付け用部材７２４は木片や人工木等で構成されている。棟包み取り付け面７２２は、取り付け用部材７２４とボルトで固定され、この取り付け用部材７２４が第１棟包み部７１１とボルトや釘等で固定されることで、間接的にパネル側棟根取り付け材７２と棟包み７１とが固定されている。
【００３７】
接続部７２３は、パネル設置面７２１及び棟包み取り付け面７２２に対して垂直方向に延びる面である。接続部７２３の高さは、太陽光発電パネル５及びパネル側棟根取り付け材７２を太陽光パネル架台４の縦桟４１の上に取り付けた際に、棟包み取り付け面７２２と太陽光発電パネル５の上面とがほぼ合うように予め寸法が調整されている。
【００３８】
次に、屋根面１Ｂ側の構成について説明する。
屋根材側棟根取り付け材７３は、棟部７の屋根面１Ｂ側に配置される部材である。
屋根材側棟根取り付け材７３は、太陽光利用屋根１の棟部７の延びる方向に沿う縦長の部材である。屋根材側棟根取り付け材７３は、下地材３に固定されて第２棟包み部７１２を支持する。屋根材側棟根取り付け材７３は、屋根材設置面７３１と、棟包み取り付け面７３２と、これら屋根材設置面７３１及び棟包み取り付け面７３２を接続する接続部７３３と、を有する。
【００３９】
屋根材設置面７３１は、断面視で屋根材側棟根取り付け材７３の下面を構成する面である。図６に示すように、屋根材設置面７３１は、下地材３に直接接し、ボルトで固定されている。
【００４０】
棟包み取り付け面７３２は、屋根材設置面７３１の上方に、屋根材設置面７３１と略平行に延びる面である。棟包み取り付け面７３２は、屋根材設置面７３１の幅よりも長い幅を有し、断面視で屋根材設置面７３１よりも屋根面１Ｂの傾斜方向やや上方に長く延びている。棟包み取り付け面７３２は、断面視で、屋根材設置面７３１と互い違いの方向に延びるような形状をしている。棟包み取り付け面７３２は、棟包み７１に、取り付け用部材７３４を介して接続されている。詳細には、取り付け用部材７３４は、木片や人工木等であり、棟包み取り付け面７３２と取り付け用部材７３４とをボルトで固定するとともに、この取り付け用部材７３４と第２棟包み部７１２とをボルトで固定することで、間接的に屋根材側棟根取り付け材７３と棟包み７１とが固定されている。
【００４１】
棟包み取り付け面７３２は、屋根面１Ｂの傾斜方向の下方側で、屋根面１Ｂ側に向かって屈曲し、屈曲部７３５を形成している。
【００４２】
接続部７３３は、屋根材設置面７３１及び棟包み取り付け面７３２に対して垂直方向に延びる面である。図６に示すように、屋根材側棟根取り付け材７３の接続部７３３の高さは、パネル側棟根取り付け材７２の接続部７２３の高さ及び縦桟４１の高さを合わせた高さと同一かほぼ同一である。
【００４３】
接続部７３３は、棟包み取り付け面７３２の屈曲部７３５が接続部７３３と平行に延びているため、接続部７３３の上端側が屈曲部７３５により覆われるように形成されている。
【００４４】
水切り材８は、屋根材９と棟包み７１の取り付け部分から棟部７の内部に雨水が入り込まないように、屋根材側棟根取り付け材７３の外側に配置されるカバー部材である。水切り材８は、金属等の雨水防水性及び耐久性の優れた板面で形成され、断面視で階段状に折れ曲がる段差を有する。水切り材８は、高さ調整部８１と、本体部８２と、下面部８３と、を有する。
【００４５】
高さ調整部８１は、屋根材側棟根取り付け材７３の接続部７３３に当接可能な平坦な面により構成される。高さ調整部８１は、接続部７３３と、屈曲部７３５の間に差し込まれ、屈曲部７３５の外側から接続部７３３を貫通するネジ等の留め具により固定される。高さ調整部８１は、下地材３側から上方に向かって所定の長さ延びており、屋根材９の厚さに応じて、水切り材８が屋根面１Ｂから棟包み取り付け面７３２までの高さに合うように、上端側を切断して高さが調整可能である。
【００４６】
本体部８２は、高さ調整部８１から連続して高さ調整部８１の延びる方向に略直交する方向に延び、高さ調整部８１と反対側の下方に向かって屈曲する。本体部８２は、断面視で略Ｌ字に形成され、本体部８２の屋根材側に、木片や人工木等の取り付け用部材８４が配置されている。本体部８２は、釘等で内側の取り付け用部材８４に固定されている。また、取り付け用部材８４、屋根材９及び下地材３が、釘等で固定されることで、水切り材８が屋根材９に取り付けられる。
【００４７】
下面部８３は、本体部８２の断面視で略Ｌ字における短辺の下端部から屈曲し、屋根材に沿って配置される。
【００４８】
次に、棟部７を覆う棟包み７１の取り付けについて説明する。
屋根面１Ａ側では、パネル側棟根取り付け材７２を太陽光パネル架台４の縦桟４１に固定するとともに、棟包み取り付け面７２２を第１棟包み部７１１に取り付けて、第１棟包み部７１１を支持させる。
【００４９】
一方、屋根面１Ｂ側では、屋根材側棟根取り付け材７３を下地材３に固定するとともに、棟包み取り付け面７３２を第２棟包み部７１２に取り付けて、第２棟包み部７１２を支持させる。棟包み７１は、アルミ材や鋼板等で構成されているので、従来用いられている木製の下地に板金で構成する場合と比べて、高い耐久性及び耐候性を有する。
【００５０】
このとき、屋根材側棟根取り付け材７３の接続部７３３の高さは、パネル側棟根取り付け材７２の接続部７２３の高さ及び縦桟４１との高さを合わせた高さと同一又はほぼ同一に構成されているため、屋根面１Ａ側の下地材から第１棟包み部７１１の上面までの屋根面１Ａに直交する方向の距離Ｄ１は、屋根面１Ｂ側の下地材３から第２棟包み部７１２の上面までの屋根面１Ｂに直交する方向の距離Ｄ２と同一又はほぼ同一となる。このため、第１棟包み部７１１の上面と第２棟包み部７１２の上面とが、棟芯７ａに対して対称となり、棟芯７ａに対して同じ角度で傾斜する。よって、屋根の頂部と同軸にある棟芯７ａが、棟包み７１の中心とずれない。
【００５１】
なお、パネル側棟根取り付け材７２及び屋根材側棟根取り付け材７３により屋根面１Ａ，１Ｂから棟包み７１の上面までの高さを同一又はほぼ同一に構成することができるため、棟包み７１の第１棟包み部７１１及び第２棟包み部７１２は、汎用品を用いてもよい。
【００５２】
次に、水切り材８の上端部を、接続部７３３と棟包み取り付け面７３２の屈曲部７３５との間に差し込む。屋根材９の厚さが、施工する屋根によって異なっても、高さ調整部８１の上端部を切断することで、水切り材８の高さを調節することができる。高さ調整部８１は、接続部７３３と屈曲部７３５との間に差し込まれ、接続部７３３及び屈曲部７３５に釘等で固定される。水切り材８の下面部８３は、屋根材９の上の取り付け用部材８４に釘で固定され、この取り付け用部材８４が下地材３に釘で固定される。このため、屋根材側棟根取り付け材７３と水切り材８とを固定するために必要な、ネジや釘等の孔を開ける留め具を最小限にすることができ、ネジや釘を伝って雨水が棟部７の内部に入り込みにくい。
【００５３】
なお、太陽光発電パネル５を太陽光利用屋根１に取り付ける際、屋根の施工業者と太陽光発電パネル５の施工業者が別々に工事をすることがある。この際、パネル側棟根取り付け材７２及び屋根材側棟根取り付け材７３を利用すると、太陽光発電パネル５の施工業者が棟部７の工事を一貫して行うことができるので、工事工程が簡素化するとともに責任区分も明確になる。
【００５４】
本実施形態に係る太陽光利用屋根１によれば、以下の効果が奏される。
本実施形態では、切妻式の太陽光利用屋根１を、一方の屋根面１Ａ側の下地材３に固定される太陽光パネル架台４と、太陽光パネル架台４上に固定され、棟部７から軒先に亘って配置される太陽光発電パネル５と、太陽光発電パネル５の端部が配置された棟部７を覆う棟包み７１と、を含んで構成した。また、棟包み７１を、一方の屋根面１Ａ側に配置される第１棟包み部７１１と、他方の屋根面１Ｂ側に配置され且つその上面が第１棟包み部７１１の上面と棟部７の棟芯７ａに対して対称に配置される第２棟包み部７１２と、を含んで構成した。
【００５５】
本実施形態によれば、太陽光発電パネル５が一方の屋根面１Ａ側に配置され、太陽光発電パネル５の端部が棟部７まで延びている太陽光利用屋根１において、屋根面１Ａ側に配置される第１棟包み部７１１と、屋根面１Ｂ側に配置される第２棟包み部７１２と、のそれぞれの上面が、棟芯７ａに対して対称に配置される。このため、屋根面１Ａから第１棟包み部７１１の上面までと、屋根面１Ｂから第２棟包み部７１２の上面までの寸法が異なる場合であっても、棟芯７ａと棟包み７１の中心とがずれず、意匠性の高い太陽光利用屋根１を提供することができる。第１棟包み部７１１及び第２棟包み部７１２のそれぞれの上面が、棟芯７ａに対して対称に形成されているので、第１棟包み部７１１及び第２棟包み部７１２を取り付ける部材の構成、配置、高さや厚さを調整することで、棟包み７１の上面の高さを合わせることができる。このため、容易に棟芯と棟包み７１の中心を合わせた意匠性の高い太陽光利用屋根を施工することができ、施工性が向上する。
【００５６】
また、本実施形態によれば、太陽光パネル架台４に固定され且つ第１棟包み部７１１を支持するパネル側棟根取り付け材７２と、屋根面１Ｂ側の下地材３に固定され且つ第２棟包み部７１２を支持する屋根材側棟根取り付け材７３と、を更に含んで構成した。これにより、屋根面１Ａ及び１Ｂに、それぞれパネル側棟根取り付け材７２及び屋根材側棟根取り付け材７３を取り付けるだけで、特段の高さ調整をせずとも太陽光発電パネル５を設置した屋根面１Ａと屋根材９を設置した屋根面１Ｂの棟包み７１の上面の高さを合わせることができるので、意匠性が高い上、現場における施工性も向上する。
【００５７】
なお、本発明は上記実施形態に限定されるものではなく、本発明の目的を達成できる範囲での変形、改良等は本発明に含まれる。
上記実施形態では、本発明の太陽光利用屋根として、太陽光発電パネルを備える太陽光発電屋根に適用したがこれに限定されない。例えば、本発明の太陽光利用屋根を、太陽光集熱パネルを備える太陽熱利用屋根に適用してもよい。
また、上記実施形態は、棟包みの上面と、屋根面とが平行である例を示したが、棟包みの上面と、屋根面とが平行でない場合でも、一方の屋根面側と他方の屋根面側とで、第１棟包み部の上面と第２棟包み部の上面とが同じ角度で傾斜し、対称となっていればよい。
【符号の説明】
【００５８】
１    太陽光利用屋根
１Ａ  屋根面（一方の屋根面）
１Ｂ  屋根面（他方の屋根面）
３    下地材
４    太陽光パネル架台（架台）
５    太陽光発電パネル（太陽光パネル）
７    棟部
７ａ  棟芯
７１  棟包み
７２  パネル側棟根取り付け材（第１棟取付材）
７３  屋根材側棟根取り付け材（第２棟取付材）
７１１  第１棟包み部
７１２  第２棟包み部
【図１】
2016011507.tif 000003
【図２】
2016011507.tif 000004
【図３】
2016011507.tif 000005
【図４】
2016011507.tif 000006
【図５】
2016011507.tif 000007